(57)【要約】【課題】  外国語などのリスニング試験において、各試験受験者がそれぞれ１つのＩＣプレーヤーを使用してヘッドホン等により設問の再生音声を聴く方法では、試験受験者が一定品質の再生音声を聴取していることの確認が出来ない。【解決手段】  ヘッドホン内のスピーカー近くにマイクを設け、これにより試験実施中ヘッドホンを装着した試験受験者が聴取する音声を採音し、採音した音声信号を音声再生装置の内部に設けた記憶装置内に録音音声信号として蓄積する。試験終了後、音声品質に問題があるという申告があった場合、該録音音声信号を調べることにより、音声再生が正常に行われたか否か、さらに、どの程度の品質にて音声再生が行われたかを確認することが出来る。【選択図】        図１
2007221511.tif 000002
【特許請求の範囲】
【請求項１】
耳に差し込んだり被せることで装着して音声を聴取するイヤホンやヘッドホンのような受話器において、該受話器中にあるスピーカーのような音声発生部の近くにマイクのような採音部を設け、該音声発生部により発せられた音声が該採音部にて検出されるようにし、該採音部が検出した音声より変換した電気信号を蓄積したり処理したりする装置へ伝えるためのコードのような接続部を備えた、イヤホンやヘッドホンのような前記受話器。
【請求項２】
蓄積された音声信号から音声に対応する電気信号を再生するテープデッキやＩＣプレーヤーのような蓄積媒体中の信号を音源とする音声再生装置、もしくは、ラジオ受信機のような受信信号を音源とする音声再生装置において、請求項１の受話器を接続して音声を再生する際に、該音声再生装置の前記音源による再生音声信号の再生音は前記受話器の前記音声発生部にて発せられるようにし、該受話器の前記採音部よりの検出した音声から変換した電気信号は該音声再生装置内に設けた記憶部にて録音音声信号として記録するようにし、同時に該音声再生装置に設けられた音量つまみにより設定された音量レベルなどの音声再生におけるパラメータをパラメータ情報として前記記憶部に記録するようにし、音声の再生が終わった後に、前記記憶部に記録された前記録音音声信号と前記パラメータ情報を調べることにより、前記音声の再生が行われた否かと、どのような内容・品質の再生であったかとを証明することが出来るようにした、前記音声再生装置。
【請求項３】
請求項２の音声再生装置において、音声の再生の際に、請求項１の受話器内の前記採音部からの電気信号より得られる採音音声信号と、再生されつつある再生音声信号とを、設定された音量レベルなどの音声再生におけるパラメータによる影響を考慮に入れて比較を行い、採音音声信号と再生音声信号との特徴量の差が予め定められた範囲を超えて大きくなった際に、機器の不具合や騒音等の影響により再生された音声は意図した品質よりも劣悪であると判定し、品質の劣化が発生したと判定されたことを、該音声再生装置に設けられたランプなどの表示装置や前記受話器等を用いて、リアルタイムに、もしくは、音声再生終了時に該音声再生装置の使用者に通知することを特徴とする、前記音声再生装置。
【請求項４】
請求項２の音声再生装置内の記憶部内に記録された前記録音音声信号と前記パラメータ情報、および、前記音声再生装置にて利用された音源の再生音声信号とを入力する手段を有し、入力した該録音音声信号と該再生音声信号とを、該パラメータ情報に基づく音声再生におけるパラメータによる影響を考慮に入れて比較を行い、該録音音声信号と該再生音声信号との特徴量の差がどの程度であるかを出力し、さらに、その差が予め定められた範囲を超えて大きくなった際に、機器の不具合や騒音等の影響により再生された音声は意図した品質よりも劣悪であると判定し、該再生音声中で品質が劣化したと判定された範囲を同定して出力することを特徴とした、音声信号処理装置。
【請求項５】
請求項４の音声信号処理装置において、同定した該再生音声中での品質劣化の範囲に基づき、前記録音音声信号と前記パラメータ情報との記録が行われた音声再生装置の使用者が再生音声の品質劣化により受けた影響を打ち消すために聴取すべき音声信号を、前記再生音声信号もしくは予め用意された代替の音声信号から編集して編集済音声信号として作成し、該編集済音声信号を請求項２の音声再生装置もしくは他の音声再生装置にて取り込んで再生出来る形式の音源にて出力することを特徴とした、前記音声信号処理装置。
【発明の詳細な説明】
【技術分野】
【０００１】
本発明は、英語などの外国語語学のリスニング試験など、音声による出題を行う試験において、試験受験者が公平で公正な条件で該音声を聴取できるようにし、試験実施者が該音声聴取において公平で公正な条件を提供したことを証明するための、受話器、音声再生装置、および、音声信号処理装置と、これらの使用方法に関する。
【背景技術】
【０００２】
従来、英語などの外国語語学のリスニング試験の一般的な実施方法としては、１台のカセットデッキやＣＤプレーヤーなどの音声再生装置のスピーカーから発せられた音声をそのまま試験会場全体に流し、該試験会場内で試験受験者がそれを聴取する方法が用いられてきた。
【０００３】
しかしながら、このように試験会場全体にスピーカーにて音声を流す方法では、会場内の着席位置により聴取のしやすさが一律ではなく、特定の試験受験者に不利が生じる恐れがある。また、異なる試験会場では聴取のしやすさが大きく異なる場合があり、これも不公平を生じる。ある試験受験者が発する騒音により他の試験受験者が不利を被る恐れも大きい。
【０００４】
試験会場全体にスピーカーにて音声を流す方法には上記のような問題点があるため、２００６年度大学入試センター試験の外国語の英語に導入されたリスニング試験では、試験受験者ひとりひとりに１台、音声再生装置であるＩＣプレーヤーと受話器であるイヤホンとを配付し、受験者本人による作動確認・音量調節等を行った後、音声による設問に解答する方法が採られた。
【発明の開示】
【発明が解決しようとする課題】
【０００５】
前記２００６年度大学入試センター試験でのリスニング試験で用いられた、従来のリスニング試験の方法には、次のような問題点がある。
【０００６】
ひとつめの問題点は、試験実施者側は音声再生装置による再生に不具合が発生したことを、試験受験者の申告に拠って知るしかないことに起因する。実際には不具合が発生していないにも関わらず試験受験者が不具合を申告してきた場合にも、試験実施者側にはこれに反証を行う手立てはなく、申告に基づいて一律再試験・追試験等の対応を取らざるをえない。再試験・追試験を受験することを意図して音声再生装置の不具合の虚偽の申告を行った悪意の試験受験者に、再試験・追試験を受験させることは、試験の公正さの観点から問題がある。
【０００７】
二つめの問題点は、試験受験者が利用している音声再生装置の再生音声が劣化していたとしても、それが劣化であるということを確かに知る手段が試験受験者にも試験実施者にも無いことに起因する。試験の解答において不利になるような品質劣化を起こしていたとしても、受験者がそれと認識しない場合、あるいは、品質劣化の申告を見送った場合、該試験受験者は不利益を被ることになり、試験の公平さの観点から問題がある。
【０００８】
本発明は、音声による出題を行う試験において、試験受験者が公平で公正な条件で該音声を聴取できるようにし、試験実施者が該音声聴取において公平で公正な条件を提供したことを証明するための手段を与えることを目的とする。
【課題を解決するための手段】
【０００９】
上記目的を達成するために、リスニング試験で用いる本発明による受話器には、受話器内の音声発生部近くに、該音声発生部から発せられる音声を検出するマイクなどの採音部を設け、該採音部により音声から変換された電気信号を別装置に伝えるためのコードなどの接続部を設ける。
【００１０】
また、リスニング試験で用いる本発明による音声再生装置には、前記受話器の採音部にて検出した録音音声信号と、該音声装置の音量つまみにより設定された音量レベルなどの音声再生におけるパラメータ情報とを記録するための記憶部を設ける。
【００１１】
また、本発明による音声再生装置は、再生を行っている再生音声信号と前記採音部にて検出した採音音声信号とを、音量つまみにより設定された音量レベルなどの音声再生におけるパラメータを考慮してリアルタイムに比較する比較機能と、該比較により大きな差が検出された場合に通知を行う通知機能とを有する。
【００１２】
また、本発明による音声信号処理装置には、前記録音音声信号と前記パラメータ情報、および、前記再生音声信号とを入力する手段を有し、さらに、入力した該録音音声信号と該再生音声信号とを、該パラメータ情報に基づいて比較することにより、音声再生中に再生音の品質が劣化した範囲を同定する機能を有し、さらにその範囲を出力する手段を有する。
【００１３】
また、本発明による音声信号処理装置には、同定した該再生音声中で品質が劣化したと判定された範囲に基づき、該当する音声再生装置の使用者が再生音声の品質劣化により受けた影響を打ち消すために聴取すべき音声信号を作成する機能とその音声信号を出力する手段を有する。
【発明の効果】
【００１４】
本発明は、以上説明したように構成されているので、以下に記載されるような効果がある。
【００１５】
受話器には、スピーカーにより発せられた音声の採音が可能なようにマイクが設けられているので、受話器を利用する人が聴取した音声そのものを採音することが出来る。
【００１６】
音声再生装置では、受話器中に設けられたマイクにより再生音声を採音した音声信号を記録するので、どのような音声再生が行われたかの証拠を残すことが出来る。
【００１７】
音声再生装置では、音声再生に用いられた再生音声信号と、受話器中に設けられたマイクにより再生音声を採音した音声信号とを、音声再生時にリアルタイムで比較するので、受話器を利用する人が聴取する音声の品質劣化を、リアルタイムで検出することが出来る。
【００１８】
音声信号処理装置では、音声再生装置で音声再生に用いられた再生音声信号と、受話器中に設けられたマイクにより再生音声を採音して記録した録音音声信号とを比較することで音声の品質劣化を検出し、その影響範囲を表示するので、品質劣化による影響を補填するための行為を迅速に行うことが出来る。さらに、該再生音声信号と、該録音音声信号との差の大小を尺度として、再生が行われた環境がどの程度音声の聴取に向いたものであったかの評価が可能となる。
【００１９】
音声信号処理装置では、音声再生装置で音声再生に用いられた再生音声信号と、受話器中に設けられたマイクにより再生音声を採音して録音した録音音声信号とを比較することで音声の品質劣化を検出し、その影響範囲に基づいて品質劣化による影響を補填するために聴取すべき音声信号を編集するので、該編集済の音声信号を用いて品質劣化による影響を補填する行為を迅速に行うことが出来る。
【発明を実施するための最良の形態】
【００２０】
発明の実施の形態を、実装例にもとづき図面を参照して説明する。
【００２１】
図１は、本発明を適用した実施例での、受話器と音声再生装置の構成を示す。図１では、音声再生装置にＩＣプレーヤーを、受話器には密閉型ヘッドホンをそれぞれ想定している。また、英語のリスニング試験を行う場合を想定している。
【００２２】
図１中、リスニング試験を受ける試験受験者（１００）は、本発明による受話器であるヘッドホン（１１０）を装着し、該ヘッドホンが接続されたＩＣプレーヤー（１２０）により再生された音声を聴取している。
【００２３】
ヘッドホン（１１０）は、ベルト（１１１）とこれにより支えられたヘッドホン筐体（１１２）、ヘッドホン筐体（１１２）とＩＣプレーヤー（１２０）とを接続する再生コード（１１４）と録音コード（１１６）とから構成される。
【００２４】
ヘッドホン筐体（１１２）には、再生コード（１１４）に接続された音声発生部であるスピーカー（１１３）と、録音コード（１１６）に接続され、該スピーカーから発せられた音声を検出して採音する採音部であるマイク（１１５）とが内蔵されている。
【００２５】
ＩＣプレーヤー（１２０）は、再生コード（１１４）を接続する再生ジャック（１３１）、録音コード（１１６）を接続する録音ジャック（１３２）を備え、さらに再生音声の音量を調整する音量つまみ（１３３）と、ＩＣプレーヤーの使用者である試験受験者（１００）へ通知を行うためのランプ（１３４）を備えている。また、可搬蓄積媒体であるＩＣメモリ（１４０）を、記憶部であるＩＣメモリドライブ（１３５）に収容するようになっている。
【００２６】
ＩＣプレーヤー（１２０）の内部には、ＩＣメモリ（１４０）中に蓄積された再生音声信号（１４１）を取り出してデジタル信号からアナログ信号への変換を行うＤＡ変換器（１２２）あり、そのアナログ信号はアンプ（１２１）により増幅され、再生ジャック（１３１）より出力される。アンプ（１２１）による増幅の度合いは、音量つまみ（１３３）によって調節される。この音量調節のレベルは、パラメータ情報（１４３）としてＩＣメモリ（１４０）内に記録する。
【００２７】
同じくＩＣプレーヤー（１２０）の内部には、録音ジャック（１３２）から入力された音声のアナログ信号をデジタル信号に変換するＡＤ変換器（１２３）があり、そのデジタル信号はＩＣメモリ（１４０）中に録音音声信号（１４２）として記録することが出来る。
【００２８】
同じくＩＣプレイヤー（１２０）の内部には、２つの入力デジタル信号の比較が可能な電子回路である比較器（１２４）がある。ＩＣメモリ（１４０）から読み出される再生音声信号（１４１）と、ＡＤ変換器（１２３）からＩＣメモリ（１４０）へ書き込まれる録音音声信号（１４２）との２つの音声信号が、この比較器（１２４）の入力となっている。
【００２９】
さらに比較器（１２４）には音量つまみ（１３３）により設定された音量レベルが入力され、この音量レベルを考慮して２つの音声信号の比較を行うことが出来る。比較器（１２４）は入力した２つの音声信号の差が予め定められた範囲を超えている場合、ランプ（１３４）を点灯させて、試験受験者（１００）に音声再生に問題があることを通知する。
【００３０】
リスニング試験が実施されている時、ＩＣメモリ（１４０）中の再生音声信号（１４１）は、ＤＡ変換器（１２２）によりアナログ信号に変換され、アンプ（１２１）により増幅されたのち、再生ジャック（１３１）と再生コード（１１４）を経て、ヘッドホン筐体（１１２）内のスピーカー（１１３）により音声として発せられる。
【００３１】
この音声は試験受験者（１００）により聴取されて、リスニング試験が進行する。同時にこの音声は、ヘッドホン筐体（１１２）内のマイク（１１５）により採音され、アナログ音声信号となって録音コード（１１６）を経て、録音ジャック（１３２）よりＩＣプレーヤー（１２０）の内部に取り込まれる。このアナログ音声信号は、取り込まれた後にＡＤ変換器（１２３）によりデジタル信号に変換され、ＩＣメモリ（１４０）内に録音音声信号（１４２）として記録される。
【００３２】
リスニング試験中、上記のような録音音声信号の記録と並行して、ＩＣメモリ（１４０）中には、音量つまみ（１３３）により設定されている音量レベルが、パラメータ情報（１４３）として記録される。パラメータ情報（１４３）中の音量レベルは、再生音声信号（１４１）のヘッドホン（１１０）での再生に対する時間的変化として記録されている。すなわち、再生時間中のすべての時点についての音量レベルが分かるように記録されている。例えば、音声再生開始から１００秒後までは音量レベルが１０であったものが、１００秒後から再生終了までは音量レベルが１５になったというような記録である。
【００３３】
以上説明したように、請求項１による受話器であるヘッドホン（１１０）と、請求項２による音声再生装置であるＩＣプレーヤー（１２０）とが動作することにより、リスニング試験実施の後には、試験受験者（１００）が実際に聴取した音声の記録として、ＩＣメモリ（１４０）内に録音音声信号（１４２）とパラメータ情報（１４３）とが残される。すなわち、残された録音音声信号（１４２）が再生音声信号（１４１）と内容的に一致し、それが許容できる音声品質であれば、試験受験者（１００）には再生音声信号（１４１）による音声が聴取されていたと証明される。録音音声信号（１４２）は確かに残っていたが、試験受験者（１００）には再生音声信号（１４１）による音声が聴取されていなかったというようなことは、ヘッドホン（１１０）およびＩＣプレーヤー（１２０）の構造上あり得ない。
【００３４】
リスニング試験中に試験受験者（１００）が過誤により、もしくは故意により、音量つまみ（１３３）を低く設定したことにより、再生音声の音量が下がって低い音量レベルの録音音声信号（１４２）が記録された場合を考える。この場合には、ＩＣメモリ（１４０）内のパラメータ情報（１４３）に、音量つまみ（１３３）を低く設定したという操作の記録が残っているため、これを根拠に試験受験者（１００）の過誤であることを、試験実施者側は主張出来る。このような主張に対して、試験受験者（１００）が、音量つまみ（１３３）を低く設定するような操作はしていないと申告した場合、機器の誤動作か否かが判定しがたい状況に陥る。しかしながら、このような状況においては、試験受験者（１００）は実際に再生音声を十分に聴取できていないのであり、十分に聴取した上で再度の聴取を要求して不当に有利を得ようとする試みにはならない。
【００３５】
なお、図１では、受話器および音声再生装置中の、本発明に直接関係の無い要素については、省略して記していない。例えば、装置全体の動作を制御する制御部とこれに付随する結線は、図１中に記されていない。また、図１では、煩雑さを避けるために、ヘッドホン（１１０）について片側のみを記している。
【００３６】
図２は、本発明を適用した実施例での、図１中の比較器（１２４）の動作原理を説明する図である。図１にて説明したとおり、リスニング試験中に設問の音声が再生されている際、ＩＣメモリ（１４０）では再生音声信号（１４１）が読み出され、録音音声信号（１４２）が書き込まれている。これら２つの信号が、比較器（１２４）に入力されている。さらに、音量つまみ（１３３）により設定された音量レベルも、比較器に入力されている。
【００３７】
比較器（１２４）では、最初に、入力された録音音声信号（２１０）の振幅を、音量レベル（２２０）により補正する（２９１）。具体的には、音量レベル（２２０）を録音音声信号（２１０）の振幅に乗じるような補正を実施することが考えられる。次に、補正された録音音声信号（２３０）と、再生音声信号（２５０）との相関（２４０）が計算される（２９２）。計算された相関の値（２４１）が、予め定められた基準値（２４２）よりも下回ると、比較器（１２４）は品質劣化を検出した（２４３）として、ランプ（１３４）の点灯を行う。これを見た試験受験者（１００）は、音声再生に問題があることを知ることが出来る。
【００３８】
ＩＣプレーヤー（１２０）とヘッドホン（１１０）とが正常に作動していれば、補正された録音音声信号（２３０）と再生音声信号（２５０）との相関の値（２４１）は、一定レベル以上になるはずである。また、再生音声信号（２５０）はデジタル信号であり、破損はあっても劣化ということはありえず、リスニング試験にて聴取すべき音声の原音と考えて良い。したがって、ヘッドホン筐体（１１２）内のマイク（１１５）により採音された録音音声信号（２１０）を補正した信号（２３０）と再生音声信号（２５０）との相関の値（２４１）は、試験受験者（１００）が聴取した音声の品質そのものを表す尺度と見なし得る。
【００３９】
なお、図２は、図１に示した比較器（１４２）の動作原理を説明するための図であり、アナログ信号のイメージを使って図を描いている。実際の比較器（１４２）の実装では、すべてデジタル処理とすることが妥当である。また、図２では、音量レベル（２２０）を振幅に乗じる形で利用する単純なイメージを示しているが、実際には雑音レベルに対する相対的な評価に用いたり、周囲の騒音に対する相対的な評価に用いたりすることで、相関の値の計算の精度をあげるために利用される。
【００４０】
図３は、本発明を適用した実施例での、音声信号処理装置の構成を示す。図３中、試験受験者（１００）、ヘッドホン（１１０）、ＩＣプレーヤー（１２０）は、図１中に示したものと同じである。図３では、音声信号処理装置として、パーソナルコンピュータを想定している。
【００４１】
図３中、音声信号処理装置（３２０）は、ＩＣメモリドライブ１（３２６）とＩＣドライブ２（３２７）との、２つのＩＣメモリドライブを備えている。リスニング試験にて用いた前記ＩＣプレーヤー（１２０）に装着され、録音音声信号（１４２）とパラメータ情報（１４３）とを保持したＩＣメモリ（１４０）が、抜き取られてＩＣメモリドライブ１（３２６）に装着されている（３９１）。
【００４２】
ＩＣメモリドライブ２（３２７）には別のＩＣメモリ（３３０）が装着され、以下に説明する編集済音声信号（３３１）がここに記録される。該編集済音声信号が記録されたのち、該ＩＣメモリ（３３０）は抜き取られて、ＩＣプレーヤー（１２０）に装着され（３９２）、再生されることとなる。
【００４３】
音声信号処理装置（３２０）にはディスプレイ（３１０）が接続されている。このディスプレイ（３１０）には、試験実施者（３００）向けの情報が表示される。
【００４４】
音声信号処理装置（３２０）の内部には、前記ＩＣメモリドライブ１（３２６）に接続された比較器（３２２）があり、該比較器（３２２）にはＩＣメモリ（１４０）中の前記録音音声信号（１４２）と前記パラメータ情報（１４３）とが入力される。
【００４５】
同じく音声信号処理装置（３２０）の内部には、蓄積装置（３２３）が設けられ、この内部に設問の時間情報（３２４）と再生音声信号（３２５）とが記録されている。該再生音声信号（３２５）は、図１に示した再生音声信号（１４１）と同じものである。再生音声信号（３２５）は、前記比較器（３２２）の入力となっている。
【００４６】
同じく音声信号処理装置（３２０）の内部には、比較器（３２２）の出力を入力とする編集器（３２１）が配置されている。編集器（３２１）への入力には、他に、前記蓄積装置（３２３）中の再生音声信号（３２５）と設問の時間情報（３２４）とがある。編集器（３２１）により、前記ＩＣドライブ２（３２７）に装着されたＩＣメモリ（３３０）内に編集済音声信号（３３１）が作成される。また、編集器からは、ディスプレイ（３１０）に表示される情報も生成される。
【００４７】
リスニング試験が終了し、該試験中にＩＣプレーヤー（１２０）中のランプ（１３４）の点灯により再生音声の品質劣化が表示された場合、もしくは、試験受験者（１００）が再生音声に問題があったと申告した場合に、音声信号処理装置（３２０）は使用される。そのような事態の際には、まず、該ＩＣプレイヤー（１２０）からＩＣメモリ（１４０）を抜き取り、音声信号処理装置（３２０）のＩＣメモリドライブ１（３２６）に装着する（３９１）。同時に、ＩＣメモリドライブ２（３２７）には、新品のＩＣメモリ（３３０）を装着する。
【００４８】
ＩＣメモリを装着したのち、比較器（３２２）により、再生音声信号（３２５）と録音音声信号（１４２）との比較を、パラメータ情報（１４３）中の値を考慮した上で行う。この動作原理は、図２で示した図１中の比較器の動作原理と同じである。比較器（３２２）により検出された音声の品質劣化は、音声劣化情報（３２８）として編集器（３２１）へ出力される。
【００４９】
編集器（３２１）では、比較器（３２２）よりの音声劣化情報（３２８）を受けて、蓄積装置（３２３）上の設問の時間情報（３２４）を参照し、音声品質劣化により聴取が困難となったリスニング試験の設問を同定し、これを音声再生状況情報（３２９）として、ディスプレイ（３１０）に表示する。さらに、音声品質劣化により試験受験者（１００）が受けた不利益を補填するために試験受験者（１１０）が再テストで聴取すべき音声信号を編集し、これを編集済音声信号（３３１）として、ＩＣメモリドライブ２（３２７）に装着されたＩＣメモリ（３３０）に記録する。
【００５０】
ディスプレイ（３１０）にて音声再生状況情報を確認した試験実施者（３００）は、ＩＣメモリドライブ２（３２７）中のＩＣメモリ（３３０）を抜き取り、試験受験者（１００）が使用するＩＣプレーヤー（１２０）に該ＩＣメモリ（３３０）を装着させる（３９２）。該試験受験者（１００）は、ＩＣメモリ（３３０）中の編集済音声信号（３３１）を再生して、再テストを受験する。
【００５１】
なお、図３では、音声信号処理装置中の、本発明に直接関係の無い要素については、省略して記していない。例えば、装置全体の動作を制御する制御部とこれに付随する結線は、図３中に記されていない。また、メモリドライブを２つ用いる構成としたが、これを１つとして、ＩＣメモリの装着・抜き取りを繰り返す手順としても良い。また、図３では録音音声信号と再生音声信号との差に関する情報を出力する部分を省略しているが、差に関する該情報を出力すれば、音声再生装置が使用された環境が音声の聴取にどの程度向いていたかを評価するための尺度となる。
【００５２】
図４は、本発明を適用した実施例での、図３中の編集器（３２１）の動作原理を説明する図である。前述のとおり、図３中の編集器（３２１）にては、設問の時間情報（３２４）、再生音声信号（３２５）、音声劣化情報（３２８）の３つが入力され、音声再生状況情報（３２９）と編集済音声信号（３３１）との２つが出力される。図４中に記されたこれらの入出力は、図３中に記されたものと同じである。
【００５３】
図４中、編集器では、まず、入力された設問の時間情報（３２４）と音声劣化情報（３２８）とを用いて、音声再生状況情報（３２９）を作成する（４９１）。図４中に記された例では、音声劣化情報（３２８）中に記録された音声品質劣化区間（４２１）は、設問の時間情報（３２４）中の設問１時間帯（４１１）と設問４時間帯（４１４）には時間的に重なっておらず、設問２時間帯（４１２）の後半部分に重なりを持ち、設問時間帯３（４１３）のすべてと重なっている。この結果、設問１は正常に再生され、設問２は後半が欠損し、設問３は全体が欠損し、設問４は正常に再生されたという内容をもつ、音声再生状況情報（３２９）が作成されている。この音声再生状況情報（３２９）が、図３中のディスプレイ（３１０）により試験実施者（３００）向けに表示される。
【００５４】
図４中、引き続き編集器では、作成した音声再生状況情報（３２９）を用いて、再生音声信号（３２５）から、編集済音声信号（３３１）を作成する。図４中に記された例では、音声再生状況情報（３２９）中に設問２と設問３とが一部または全体が欠損しているとあるので、再生音声情報（３２５）から設問２の音声（４４２）と設問３の音声（４４３）とを取り出し、この２つの音声からなる編集済音声信号（３３１）を作成する。作成された編集済音声信号（３３１）は、再テストにおいて試験受験者が聴取する。
【００５５】
なお、図４は編集器（３２１）の動作原理を説明するための図であり、アナログ信号のイメージを使って図を描いている。実際の編集器（３２１）の実装では、すべてデジタル処理とすることが妥当である。また、図４では、一部分でも音声再生に欠損があった設問を単純に再出題する方法としているが、欠損の状況により編集済音声信号の構成を変更したり、再生音声信号以外からの音源を元に編集済音声信号を構成する方法も考えられる。
【図面の簡単な説明】
【００５６】
【図１】本発明を適用した実施例での、受話器と音声再生装置の構成である。
【図２】受話器および音声再生装置による、再生音声の品質劣化を検出する動作原理を説明する図である。
【図３】再生音声信号と録音音声信号とを処理する、音声信号処理装置の構成である。
【図４】音声信号処理装置による、再生音声の品質劣化の状況を示すデータと、品質劣化による影響を補填するための音声信号を生成する動作原理を説明する図である。
【符号の説明】
【００５７】
１００  試験受験者
１１０  ヘッドホン
１１１  ベルト
１１２  ヘッドホン筐体
１１３  スピーカー
１１４  再生コード
１１５  マイク
１１６  録音コード
１２０  ＩＣプレーヤー
１２１  アンプ
１２２  ＤＡ変換器
１２３  ＡＤ変換器
１２４  比較器
１３１  再生ジャック
１３２  録音ジャック
１３３  音量つまみ
１３４  ランプ
１３５  ＩＣメモリドライブ
１４０  ＩＣメモリ
１４１  再生音声信号
１４２  録音音声信号
１４３  パラメータ情報
２１０  録音音声信号
２２０  音量レベル
２３０  補正された録音音声信号
２４０  相関
２４１  相関の値
２４２  相関の基準値
２４３  品質劣化の検出
２５０  再生音声信号
３００  試験実施者
３１０  ディスプレイ
３２０  音声信号処理装置
３２１  編集器
３２２  比較器
３２３  蓄積装置
３２４  設問の時間情報
３２５  再生音声信号
３２６  ＩＣメモリドライブ１
３２７  ＩＣメモリドライブ２
３３０  ＩＣカード
３３１  編集済音声信号
３９１、３９２  ＩＣカードの抜き取りと装着の動きを示す矢印線
４１１〜４１４  リスニング試験における設問の時間帯
４２１  音声品質劣化区間
４４１〜４４４  リスニング試験における設問の音声
４９１  再生状況の判定を表す矢印
４９２  音声信号の編集を表す矢印
【図１】
2007221511.tif 000003
【図２】
2007221511.tif 000004
【図３】
2007221511.tif 000005
【図４】
2007221511.tif 000006